(57)【要約】【課題】天井面から吊下固定する本体背面から導出された接続配管をカバーして外観性を向上させるようにした空気調和機の据付装置を提供する。【解決手段】接続配管１が導出される空気調和機本体Ａの背面側を係止する係止手段２を備えた据付板Ｂと、同据付板Ｂを取り付ける取付手段を備えた垂直部４と、同垂直部４の上端を水平に折曲して前方に延出し、天井面からの天吊ボルト６に吊下固定する吊下固定手段を備えた水平部８とでＬ字状に形成された天井吊具９と、同天井吊具９の垂直部４裏面に固定される固定手段を備え、前面側を開口した化粧箱１１とからなり、前記天井吊具９の水平部８が、前記吊下固定手段により前記天吊ボルト６に固定されると共に、導出された前記接続配管１の一部が、前記化粧箱１１内に収容されるようにした。【選択図】  図３
2004156879.tif 000002
【特許請求の範囲】
【請求項１】
接続配管が導出される空気調和機本体の背面側を係止する係止手段を備えた据付板と、同据付板を取り付ける取付手段を備えた垂直部と、同垂直部の上端を水平に折曲して前方に延出し、天井面からの天吊ボルトに吊下固定する吊下固定手段を備えた水平部とでＬ字状に形成された天井吊具と、同天井吊具の垂直部裏面に固定される固定手段を備え、前面側を開口した化粧箱とからなり、
前記天井吊具の水平部が、前記吊下固定手段により前記天吊ボルトに固定されると共に、導出された前記接続配管の一部が、前記化粧箱内に収容されるようにしてなることを特徴とする空気調和機の据付装置。
【請求項２】
前記化粧箱内に、本体内から流出させたドレン水を受ける外部ドレンパンが設けられると共に、同外部ドレンパンの上部に、前記化粧箱の背面に取り付けられる取付具を備えたドレンポンプが設けられてなることを特徴とする請求項１に記載の空気調和機の据付装置。
【請求項３】
前記化粧箱の上面に、外気を導入する外気導入管が接続される導入口が設けられ、下面に、外気を導出する導出口が設けられると共に、これら導入口と導出口とを結ぶ空気通路に送風ファンが設けられてなることを特徴とする請求項１に記載の空気調和機の据付装置。
【発明の詳細な説明】
【０００１】
【発明の属する技術分野】
本発明は、天井面から吊下固定する空気調和機の据付装置に係わり、より詳細には、本体背面から導出された接続配管をカバーして外観性を向上させるようにした構造に関する。
【０００２】
【従来の技術】
従来の空気調和機の据付（取付）装置として、複数の枠板で形成された据付枠の内側に、複数の仕切り板を有し、前記仕切り板を前記据付枠にねじで固定した空気調和機の取付装置において、前記仕切り板が前記本体ユニットを固定する機能と、壁表面と前面グリルとの位置関係を調整する長孔を前記本体ユニットを挿入する方向に具備した発明が開示されていた（例えば、特許文献１参照。）。
【０００３】
これにより、上記構成でなる従来の空気調和機の据付（取付）装置は、前記ねじをゆるめることにより、前記据付枠に対して前記仕切り板が前後に移動できるので、前記仕切り板の先端と壁面とを同一面に合わせることができ、取り付けられた空気調和機の前面グリルと壁面の間の隙間をなくすことができるようになっていた。
【０００４】
しかしながら、前記据付枠は、空気調和機本体を被空調室の壁に貫通させるように据付設置するためのものであるから、例えば全面ガラス張りになっているインテリジェントビルの天井面からの吊下ボルトで本体を吊下固定したような場合には、本体の背面側から導出された接続配管をカバーして外観性を向上させるといった機能を有するものではなかった。
【０００５】
前記接続配管は、外観上の配慮により本体の背面側から導出された場合であっても、本体の背面と壁面（ガラス張り面）との間に大きく隙間を設けるため、例えば図５（Ａ）および図５（Ｂ）で示す矢印ａように、側部や下部からは丸見えになって外観性を損ねてしまうという問題点を有していた。
【０００６】
そのため、空気調和機の据付（取付）装置を構成する据付枠に、前記接続配管をカバーして外観性を向上させるようにしたり、また、据付枠の内部には、本体内から流出させたドレンを受けるドレンパンおよびドレンポンプを設けることができるようにするなどして、空気調和機の据付（取付）装置に多機能をもたせるようにすることが望まれていた。
【０００７】
【特許文献１】
特開平６−２１３４７１号公報（第１頁および第２頁、第１図および第２図）
【０００８】
【発明が解決しようとする課題】
本発明においては、上記の問題点に鑑み、天井面から吊下固定する本体背面から導出された接続配管をカバーして外観性を向上させるようにした空気調和機の据付装置を提供することを目的とする。
【０００９】
【課題を解決するための手段】
本発明は、上記課題を解決するため、接続配管が導出される空気調和機本体の背面側を係止する係止手段を備えた据付板と、同据付板を取り付ける取付手段を備えた垂直部と、同垂直部の上端を水平に折曲して前方に延出し、天井面からの天吊ボルトに吊下固定する吊下固定手段を備えた水平部とでＬ字状に形成された天井吊具と、同天井吊具の垂直部裏面に固定される固定手段を備え、前面側を開口した化粧箱とからなり、
前記天井吊具の水平部が、前記吊下固定手段により前記天吊ボルトに固定されると共に、導出された前記接続配管の一部が、前記化粧箱内に収容されるようにしてなる構成となっている。
【００１０】
また、前記化粧箱内に、本体内から流出させたドレン水を受ける外部ドレンパンが設けられると共に、同外部ドレンパンの上部に、前記化粧箱の背面に取り付けられる取付具を備えたドレンポンプが設けられてなる構成となっている。
【００１１】
更に、前記化粧箱の上面に、外気を導入する外気導入管が接続される導入口が設けられ、下面に、外気を導出する導出口が設けられると共に、これら導入口と導出口とを結ぶ空気通路に送風ファンが設けられてなる構成となっている。
【００１２】
【発明の実施の形態】
以下、本発明の実施の形態を図面に基づいた実施例として詳細に説明する。
図１は本発明による据付装置によって据え付けられる空気調和機の断面図であり、図２は本発明による空気調和機の据付装置の要部分解斜視図であり、図３は本発明による空気調和機の据付装置の分解斜視図であり、図４は本発明による空気調和機の据付装置の説明図で、（Ａ）は断面図、（Ｂ）は要部斜視図である。
【００１３】
本発明による据付装置により据え付けられる空気調和機は、図１で示すような構成になっている。すなわち、前部を開放したベースａに、上面に吸込口ｂを備えた上面パネルｃと、下面に吹出口ｄを備えた下面パネルｅとで構成される前面パネルｆを装着し、前記吸込口ｂと前記吹出口ｄとを結ぶ空気通路に、下部にドレンパンｇを備えた熱交換器ｈと、送風ファンｉとが設けられることによって空気調和機本体Ａが構成されている。
【００１４】
前記ベースａの背面上部には左右に対をなす係止部２ｂが形成され、同係止部２ｂが図３で示す据付板Ｂに形成された一対の係止爪２ａに係止されるようになっており、また、前記ベースａの背面下部には接続配管１を収容する収容部が形成されている。
【００１５】
前記接続配管１は、一端が前記収容部から空気調和機本体Ａの外部に導出されて、図示しない室外機に接続されるようになっている。
【００１６】
上記構成でなる空気調和機本体Ａは、図１乃至図３で示すように、その背面側に備えた係止部２ｂと、据付板Ｂに備えた係止爪２ａとからなる係止手段２によって前記据付板Ｂに係止され、次に、同据付板Ｂは、被空調室の天井面からの複数の天吊ボルト６に吊下固定された天吊金具９の垂直部４に固定されるようにした構成となっている。
【００１７】
前記据付板Ｂには、図３で示すように、その上端部に前記係止爪２ａが連続形成されると共に、引掛け孔３ｃと複数の挿通孔３ｄとが夫々設けられている。
【００１８】
前記天吊金具９は、前記引掛け孔３ｃに係脱可能に係合するように突出させたピン３ａと、前記挿通孔３ｄを通したねじを螺着するねじ孔３ｂとを夫々設け、前記垂直部４と、同垂直部４の上端を水平に折曲して前方に延出した水平部８とでＬ字状に形成された構成となっている。
【００１９】
前記水平部８には、空気調和機本体Ａを前記天吊ボルト６に吊り下げ固定するための複数の連通孔７が設けられており、同連通孔７と、これを通した前記天吊ボルト６に螺着するナットとで吊下固定手段が構成されている。
【００２０】
前記連通孔７は、前記水平部８の側端部を開放して略Ｕ字状に形成されており、これによって、前記天吊ボルト６は、前記ナットを螺着した状態で前記水平部８の側端開放部から前記連通孔７に通すことができるので便利である。
【００２１】
前記天吊金具９の垂直部４裏面には、前面側を開口して上面１１ａ  、下面１１ｂ  、両側面１１ｃ  および背面１１ｄ  を備えた化粧箱１１が固定され、図２乃至図４で示すように、同化粧箱１１に前記接続配管１の一部が収容され、同接続配管１が前記化粧箱１１の上面１１ａ  から導出されて天井面５の上部に収容されたのち、図示しない室外機に向けて引き出されて接続されるようになっている。
【００２２】
これにより、図５（Ａ）および図５（Ｂ）に基づいて上記従来技術で説明したように、前記空気調和機本体Ａの背面から導出された接続配管１の一部が前記化粧箱１１に収容されているため丸見えになってしまうということがなくなり、外観性を損ねてしまわない空気調和機の据付装置の構造となる。
【００２３】
また、図４（Ａ）で示すように、前記化粧箱１１内に、空気調和機本体Ａ内のドレンパンｇから流出させたドレン水を受ける外部ドレンパン１２が設けられると共に、同外部ドレンパン１２の上部に、前記化粧箱１１の背面１１ｄ  に取り付けられる取付具１３を備え、ドレン管１４ａ  を備えたドレンポンプ１４が設けられるように構成してもよい。
【００２４】
これにより、前記ドレンポンプ１４を設けるためのスペースを空気調和機本体Ａ内に確保する必要がなくなるので、その分空気調和機本体Ａの小型化をはかる上で有利になる。
【００２５】
または、図４（Ｂ）で示すように、前記化粧箱１１の上面１１ａ  に、外気を導入する外気導入管１５が接続される導入口１６が設けられ、下面１１ｂ  に、外気を導出する導出口１７が設けられると共に、これら導入口１６と導出口１７とを結ぶ空気通路にファンケーシング１９内に収容された送風ファン１８が設けられるように構成してもよい。
【００２６】
これにより、被空調室に換気用の外気を導入できるようになって、快適な空気調和を行なえるようになる。
【００２７】
【発明の効果】
以上説明したように、本発明によれば、天井面から吊下固定する本体背面から導出された接続配管をカバーして外観性を向上させるようにした空気調和機の据付装置となる。
【図面の簡単な説明】
【図１】本発明による据付装置によって据え付けられる空気調和機の断面図である。
【図２】本発明による空気調和機の据付装置の要部分解斜視図である。
【図３】本発明による空気調和機の据付装置の分解斜視図である。
【図４】本発明による空気調和機の据付装置の説明図で、（Ａ）は断面図であり、（Ｂ）は要部斜視図である。
【図５】従来例による空気調和機の据付装置の説明図で、（Ａ）は一例を示す断面図であり、（Ｂ）は他側の例を示す断面図である。
【符号の説明】
１  接続配管
２  係止手段
２ａ  係止爪
２ｂ  係止部
３  取付手段
３ａ  ピン
３ｂ  ねじ孔
３ｃ  引掛け孔
３ｄ  挿通孔
４  垂直部
５  天井面
６  天吊ボルト
７  吊下固定手段
８  水平部
９  天井吊具
１０  固定手段
１１  化粧箱
１１ａ  上面
１１ｂ  下面
１１ｃ  両側面
１１ｄ  背面
１２  外部ドレンパン
１３  取付具
１４  ドレンポンプ
１４ａ  ドレン管
１５  外気導入管
１６  導入口
１７  導出口
１８  送風ファン
１９  ファンケーシング
Ａ  空気調和機本体
Ｂ  据付板
ａ  ベース
ｂ  吸込口
ｃ  上面パネル
ｄ  吹出口
ｅ  下面パネル
ｆ  前面パネル
ｇ  ドレンパン
ｈ  熱交換器
ｉ  送風ファン
【図１】
2004156879.tif 000003
【図２】
2004156879.tif 000004
【図３】
2004156879.tif 000005
【図４】
2004156879.tif 000006
【図５】
2004156879.tif 000007